(57)【要約】【課題】搬送経路内に配置された駆動モータを冷却することができる自動原稿搬送装置およびこれを備えた画像読取装置、画像形成装置を提供すること。【解決手段】原稿載置台に載置された原稿が搬送される搬送経路（イ）、（ロ）の少なくとも一部を形成するガイド１２と、用紙を搬送するための複数のローラを駆動する駆動モータ２４とを備え、駆動モータ２４がガイド１２の内部に配置されたＡＤＦは、駆動モータ２４の駆動軸２５の軸端部２５ｂに、ガイド１２の外部から駆動モータ２４に向かう空気流Ａを形成するためのファン２７を設けた構成を有する。【選択図】図２
2014056037.tif 000002
【特許請求の範囲】
【請求項１】
原稿載置台に載置された原稿が搬送される搬送経路の少なくとも一部を形成する搬送ガイド部材と、前記搬送経路上に設けられた搬送ローラを含む複数のローラを駆動する駆動モータとを備え、前記駆動モータが前記搬送ガイド部材の内部に配置された自動原稿搬送装置であって、
前記駆動モータの駆動軸に、前記搬送ガイド部材の外部から前記駆動モータに向かう空気流を形成するためのファンを設けたことを特徴とする自動原稿搬送装置。
【請求項２】
前記ファンは、前記搬送ローラが前記原稿を搬送する方向に前記駆動モータが回転したときに前記空気流が発生するよう構成されていることを特徴とする請求項１に記載の自動原稿搬送装置。
【請求項３】
前記搬送ガイド部材は、前記搬送経路と直交する側板を有し、
前記駆動モータは、前記側板に取り付けられ、
前記側板には、前記空気流の排出口が形成されていることを特徴とする請求項１または２に記載の自動原稿搬送装置。
【請求項４】
前記搬送ガイド部材に対向して設けられ、画像読取位置に向けて搬送される前記原稿をガイドするとともに、前記画像読取位置に向けて開口する少なくとも一の吹き出し口が形成された読取入口ガイド部材と、
前記排出口と前記吹き出し口とを連通する空気通路が内部に形成されたダクト部材とを備えたことを特徴とする請求項３に記載の自動原稿搬送装置。
【請求項５】
請求項１ないし４のいずれかに記載の自動原稿搬送装置と、
前記画像読取位置に対応して設けられたコンタクトガラス上を通過する前記原稿を読み取るシートスルー方式の画像読取が可能な画像読取部と、を備えたことを特徴とする画像読取装置。
【請求項６】
請求項５に記載の画像読取装置と、
前記画像読取部により読み取られた画像に基づき画像を形成する画像形成部と、を備えた画像形成装置。
【発明の詳細な説明】
【技術分野】
【０００１】
本発明は、自動原稿搬送装置およびこれを備えた画像読取装置、画像形成装置に関する。
【背景技術】
【０００２】
一般に、複写機、プリンタ、ＦＡＸなどの画像形成装置に搭載される自動原稿搬送装置（以下、単にＡＤＦという）は、原稿を給送および搬送するための各種ローラを備えている。こうしたＡＤＦの内部には、各種ローラを駆動するための駆動モータが設けられている。また、このようなＡＤＦの中には、小型化を目的として駆動モータを原稿の搬送経路内に配置したものもある（例えば、特許文献１参照）。
【０００３】
上述したような駆動モータは、駆動に伴い発熱する。このため、こうした駆動モータを有するＡＤＦにおいては、搬送経路内に熱がこもり、駆動モータの故障に繋がるおそれがある。
【０００４】
従来、ＡＤＦではないが、装置内部の過昇温を防止すべく、用紙搬送用の搬送モータの駆動に連動してシロッコファンを回転させることにより、駆動機構を冷却するための空気流を形成するようにした画像形成装置が知られている（例えば、特許文献２参照）。
【発明の概要】
【発明が解決しようとする課題】
【０００５】
しかしながら、上述の特許文献２に記載の画像形成装置にあっては、画像形成装置の本体内部の駆動機構を冷却する点については考慮されているが、ＡＤＦの内部、特にＡＤＦの搬送経路内に配置された駆動モータを冷却することについては何ら考慮されていない。
【０００６】
本発明は、上述のような事情に鑑みてなされたもので、搬送経路内に配置された駆動モータを冷却することができる自動原稿搬送装置およびこれを備えた画像読取装置、画像形成装置を提供することを目的とする。
【課題を解決するための手段】
【０００７】
本発明に係る自動原稿搬送装置は、上記目的を達成するため、原稿載置台に載置された原稿が搬送される搬送経路の少なくとも一部を形成する搬送ガイド部材と、前記搬送経路上に設けられた搬送ローラを含む複数のローラを駆動する駆動モータとを備え、前記駆動モータが前記搬送ガイド部材の内部に配置された自動原稿搬送装置であって、前記駆動モータの駆動軸に、前記搬送ガイド部材の外部から前記駆動モータに向かう空気流を形成するためのファンを設けた構成を有する。
【発明の効果】
【０００８】
本発明によれば、搬送経路内に配置された駆動モータを冷却することができる自動原稿搬送装置およびこれを備えた画像読取装置、画像形成装置を提供することができる。
【図面の簡単な説明】
【０００９】
【図１】本発明の実施の形態に係る自動原稿搬送装置の概略構成図である。
【図２】本発明の実施の形態に係る駆動モータの配置を示す概略斜視図である。
【図３】本発明の実施の形態に係る駆動モータ周辺の概略平面図である。
【図４】図３に示す駆動モータ周辺におけるＢ−Ｂ断面図である。
【図５】本発明の実施の形態に係るダクト部材の吹き出し口を示す概略斜視図である。
【図６】本発明の実施の形態に係る画像形成装置の概略構成図である。
【発明を実施するための形態】
【００１０】
以下、本発明の実施の形態について、図面を参照して説明する。
【００１１】
まず、図１を参照して、本実施の形態に係る自動原稿搬送装置（以下、単にＡＤＦという）１の構成について説明する。
【００１２】
ＡＤＦ１は、原稿搬送機能のみの独立構成とすることも可能であり、また画像読取ユニット２を付加して画像読取装置２００を構成とすることもでき、さらに画像読取装置２００を画像形成装置本体１００と組み合わせることもできる。この他、画像読取ユニットを備えた画像形成装置にＡＤＦ１を組み合わせることもできる。
【００１３】
図１に示すように、画像読取ユニット２は、画像読取位置に対応して設けられたコンタクトガラス３と、コンタクトガラス３の下方に配置されたＣＣＤ（charge coupled device）等による画像読取部５４とを備える。ＡＤＦ１により搬送される原稿は、コンタクトガラス３上を通過する過程で画像読取部５４により原稿情報を読み取られる。
【００１４】
ＡＤＦ１は、図示しない操作部からの指示によって片面モードと両面モードを選択でき、その設定されたモードにより原稿の搬送動作が制御されるようになっている。
【００１５】
原稿載置台５は、原稿４をセットするためのもので、複数枚の原稿からなる原稿束を載置可能である。本実施の形態では、ピックアップローラ６を待機位置（後述）においた状態の下で、画像面を上にしてページ順に原稿４を原稿載置台５に載置するようにしている。
【００１６】
ピックアップローラ６は、原稿積置台５に原稿が無い待機状態の下では、原稿積置台５と所定間隔をあけた図中実線で示す待機位置６ａで待機している。所定間隔とは、原稿束を積載可能な間隔である。
【００１７】
原稿積置台５に原稿４がセットされたことが原稿積置センサ７により検知され、かつ図示しない操作部上で読取開始の指示がなされると、ピックアップローラ６は、待機位置６ａから下降して２点鎖線で示す原稿４の上面と接触する接触位置６ｂに移動するように制御される。こうしたピックアップローラ６の上昇および下降は、フィードローラ８の駆動時のフリクションにて行う。つまり、フィードローラ８が正転するとピックアップローラ６が下降し、フィードローラ８が逆転するとピックアップローラ６が上昇するようになっている。
【００１８】
ピックアップローラ６により数枚、送り出された原稿４は、フィードローラ８と分離パッド９とが対向する分離部で最上位の原稿から順次一枚ずつ分離されて送り出される。なお、分離パッドの代りにリバースローラを用いてもよい。
【００１９】
ＡＤＦ１の内部には、搬送経路（イ）〜（ニ）がそれぞれ設けられている。これら搬送経路（イ）〜（ニ）は、それぞれ複数のガイド部材によって形成されている。
【００２０】
搬送経路（イ）は、ガイド１０とガイド１１、およびガイド１０とガイド１２の間に形成されたものであり、原稿積置台５に載置された原稿４が搬送される搬送経路である。また、ガイド１２は、搬送経路（イ）、（ロ）の少なくとも一部を形成する搬送ガイド部材である。
【００２１】
搬送経路（イ）上には、ローラ１９ａ、１９ｂからなるプルアウトローラ対１９と、ローラ２０ａ、２０ｂからなる読取前ローラ対２０が設けられている。したがって、フィードローラ８により分離搬送された原稿４は、プルアウトローラ対１９および読取前ローラ対２０によって、搬送経路（イ）を通ってコンタクトガラス３上に搬送される。
【００２２】
搬送経路（ロ）は、ガイド１２とガイド１３の間に形成されたものであり、コンタクトガラス３上を通過した原稿４を原稿排紙口１４に向けて搬送する搬送経路である。
【００２３】
搬送経路（ロ）上には、ローラ２１ａ、２１ｂからなる排紙ローラ対２１が設けられている。したがって、コンタクトガラス３上を通過した原稿４は、排紙ローラ対２１によって原稿排紙口１４に搬送され、原稿排紙口１４から排紙トレイ１５に排紙される。原稿排紙口１４から排紙された原稿４は、排紙トレイ１５にスタックされる。
【００２４】
スイッチバック搬送経路（ハ）は、原稿積置台５の下部と分岐爪１６の間に形成されたものであり、原稿排紙口１４から排紙された原稿４をスイッチバックさせて原稿後端から再び搬送経路（イ）に導くためのものである。
【００２５】
分岐爪１６は、排紙トレイ１５の上方に設けられ、実線位置と２点鎖線位置との間で切替可能となっている。したがって、分岐爪１６は、２点鎖線位置に切り替わることで原稿排紙口１４から排紙される途中の原稿４をスイッチバック搬送経路（ハ）に導くようになっている。一方、分岐爪１６は、原稿４がスイッチバック搬送経路（ハ）内に導入されると、実線位置に切り替わることで導入されている原稿４を、それまで後端だった部位を先端側として搬送経路（ニ）に導くようになっている。
【００２６】
搬送経路（ニ）は、搬送経路（イ）の途中と搬送経路（ハ）とをつなげる搬送経路であり、ガイド１７とガイド１８の間に形成されている。搬送経路（ニ）は、搬送経路（イ）と合流し、スイッチバックされた原稿４を再びコンタクトガラス３上に搬送するための搬送経路である。
【００２７】
また、分岐爪１６の下流には、ローラ２２ａ、２２ｂからなる反転ローラ対２２が配置されている。反転ローラ対２２は、単独で正転と逆転を切り替えるための手段を有している。この反転ローラ対２２は、スイッチバック搬送経路（ハ）に搬送されてくる原稿４をスイッチバック搬送経路（ハ）内に導入し、その後逆転して、搬送経路（ニ）に原稿４を搬送する。
【００２８】
読取前ローラ対２０とコンタクトガラス３の間には、センサ２３が配置されている。センサ２３は、読取前ローラ対２０にて搬送されている原稿４の先端と読取開始のタイミングをあわせるために用いられる。
【００２９】
上述したピックアップローラ６、フィードローラ８、プルアウトローラ対１９、読取前ローラ対２０および排紙ローラ対２１等は、単一駆動源である駆動モータ２４により駆動されるようになっている。なお、本実施の形態におけるピックアップローラ６、フィードローラ８、プルアウトローラ対１９、読取前ローラ対２０および排紙ローラ対２１等は、本発明に係る搬送ローラを構成する。
【００３０】
駆動モータ２４は、後述するようにガイド１２の内部に配置されている。より詳細には、駆動モータ２４は、ガイド１２とガイド１８とによって構成される空間に配置されている。なお、本実施の形態において、各ローラは単一の駆動モータ２４で駆動するようにしたが、これに限らず、複数の駆動モータで駆動するようにしてもよい。
【００３１】
ＡＤＦ１と画像読取ユニット２とは、図示しないヒンジを介して連結されている。
【００３２】
次に、このように構成されたＡＤＦ１の動作について説明する。
【００３３】
（片面モード）
図１において、片面モードが設定された状態でスタートキーが押下されると、原稿積置センサ７からの検知信号により原稿積置台５上に原稿４がセットされているか否かがチェックされる。
【００３４】
原稿４のセットが検知されると、駆動モータ２４が正回転し、ピックアップローラ６が図１の待機位置６ａから下降して接触位置６ｂにて原稿４の上面に押し付けられる。そして、ピックアップローラ６が時計回りに回転して、原稿４がフィードローラ８に向けて送り出される。
【００３５】
ピックアップローラ６により送り出された原稿４は、フィードローラ８と分離パッド９によって順次１枚ずつ分離される。
【００３６】
次いで、原稿４の先端がセンサ２３に検知されると、読取開始タイミングがとられ、原稿４の先端に合わせて画像読取部５４による読み取りが開始される。また、センサ２３により原稿４の後端が検知されると、読取終了のタイミングがとられ、原稿４の後端に合わせて読み取りが終了する。
【００３７】
片面モードのときは、分岐爪１６が常に図１中の実線位置にあるため、原稿４は画像読取部５４による読取後に排紙ローラ対２１から排紙トレイ１５に排紙される。排紙された原稿４は、画像面を下にして排紙トレイ１５に積載される。
【００３８】
駆動モータ２４は、常に駆動されているが、プルアウトローラ対１９の線速をフィードローラ８の線速に対して速く設定することで、紙間を形成する。すべての原稿４の読み取りが終了すると、駆動モータ２４が逆転し、ピックアップローラ６を接触位置６ｂから待機位置６ａに移動させる。
【００３９】
（両面モード）
両面モードが設定された状態でスタートキーが押下されると、原稿積置センサ７からの検知信号により原稿積置台５上に原稿がセットされているか否かがチェックされる。
【００４０】
原稿４のセットが検知されると、駆動モータ２４が正回転し、ピックアップローラ６が図１の待機位置６ａから下降して接触位置６ｂにて原稿４の上面に押し付けられる。そして、ピックアップローラ６が時計回りに回転して、原稿４がフィードローラ８に向けて送り出される。
【００４１】
ピックアップローラ６により送り出された原稿４は、フィードローラ８と分離パッド９によって順次一枚ずつ分離される。
【００４２】
次いで、原稿４の先端がセンサ２３に検知されると、読取開始タイミングがとられ、原稿４の先端に合わせて画像読取部５４による読み取りが開始される。このとき、センサ２３で原稿４の先端が検知されたタイミングで分岐爪１６が図１中、２点鎖線の位置に移動する。同時に、反転ローラ対２２が正転方向（図１中、原稿４を右に進める方向）に回転する。
【００４３】
さらに、原稿４の先端がセンサ２３にて検知されたタイミングで、フィードローラ８およびピックアップローラ６の駆動がクラッチなどにより解除されて回転休止状態となり、次原稿を給紙しない待機状態になる。
【００４４】
次いで、センサ２３により原稿４の後端が検知されると、読取終了のタイミングがとられ、原稿４の後端に合わせて読み取りが終了する。読み取りが終了した原稿４は、その後、排紙口１４から分岐爪１６を経てスイッチバック搬送経路（ハ）に搬送される。
【００４５】
センサ２３による原稿４の後端検知から所定時間Ｔ（原稿後端が排紙口１４を完全に抜けるのに要する時間）の経過後に、分岐爪１６が図１中、２点鎖線で示す位置から実線位置に切り替えられる。このとき、反転ローラ対２２の回転方向が逆転方向（図１中、原稿を左へ進める方向）に切り替えられ、原稿４が搬送経路（ニ）に導かれる。
【００４６】
搬送経路（ニ）に進入した原稿４は、反転された状態で搬送経路（イ）に再度搬送される。そして原稿４の先端がセンサ２３に検知されると、表面と同様に、原稿４の裏面の読み取り動作が行われる。
【００４７】
また、センサ２３により原稿４の先端が検出されると、再び分岐爪１６を図１中、点線位置に移動し、反転ローラ２２を正転方向（図１中、原稿を右に進める方向）に回転させる。
【００４８】
このとき、原稿４は、読取前ローラ対２０と反転ローラ対２２により相反する方向に引っ張られるようになるが、反転ローラ対２２の軸上にトルクリミッタを設けることにより、読取前ローラ対２０の駆動に従い、反転ローラ対２２が連れ回るようになっている。
【００４９】
原稿４の裏面の読み取り動作が終了すると、原稿４は、再びスイッチバックされて搬送経路（イ）に送り込まれるが、このときに読み取り動作は行わない。また、センサ２３により原稿４の先端が検知されても、分岐爪１６を実線位置の状態にすることで原稿４が表面を下にして排紙される。これにより、原稿４は、表面を下にして排紙トレイ１５にスタックされる。
【００５０】
また、原稿４の後端の３回目の通過がセンサ２３によって検知された時点で、原稿積置センサ７が次の原稿４を検知していたとき、次原稿の給紙動作が行われる。以下、原稿積置センサ７が原稿４を検知しなくなるまで上述の動作を繰り返し行うことにより、原稿積置台５の原稿４についての両面原稿処理が終了する。
【００５１】
片面モード時と同様にすべての原稿４の読み取りが終了すると、駆動モータ２４が逆転し、ピックアップローラ６を接触位置６ｂから待機位置６ａに移動させる。
【００５２】
次に、図２、図３を参照して、本実施の形態に係るＡＤＦ１における駆動モータ２４の冷却構造について説明する。
【００５３】
図２に示すように、ガイド１２は、搬送経路（イ）および搬送経路（ロ）の上ガイド面を構成するガイド板３０と、ガイド板３０の下面に形成された搬送経路（イ）、（ロ）と直交する一対の側板３１、３２とを含んで構成されている。一対の側板３１、３２は、ガイド板３０の幅方向両側に互いに対向するよう設けられている。
【００５４】
駆動モータ２４は、一方の側板３１に図示しない支持手段を介して取り付けられている。なお、駆動モータ２４は、側板３１ではなく、ガイド板３０に図示しない支持手段によって取り付けられる構成であってもよい。
【００５５】
したがって、駆動モータ２４は、ガイド板３０と一対の側板３１、３２とにより画成されるガイド１２内、換言すれば少なくとも一部がガイド１２によって構成される搬送経路（イ）、（ロ）内に配置される。
【００５６】
また、図３に示すように、駆動モータ２４は、軸貫通タイプのもので、モータ軸心方向両側にそれぞれ突出した軸端部２５ａ、２５ｂを有する駆動軸２５を備えている。
【００５７】
駆動軸２５の軸端部２５ａには、ピニオンギヤ２５ｃが取り付けられている。このピニオンギヤ２５ｃには、上述したピックアップローラ６、フィードローラ８、プルアウトローラ対１９、読取前ローラ対２０および排紙ローラ対２１等（図１参照）に駆動力を伝達するための各種ギヤ等の伝達機構が接続されている。なお、伝達機構としてはギヤに限らず、ベルトプーリタイプの伝達機構であってもよい。
【００５８】
一方、図２に示すように、駆動軸２５の軸端部２５ｂには、複数枚の羽根を有するファン２７が取り付けられている。ファン２７は、ガイド１２の外部から駆動モータ２４に向かう空気流Ａを形成するためのものである。
【００５９】
ファン２７は、上述したピックアップローラ６、フィードローラ８、プルアウトローラ対１９、読取前ローラ対２０および排紙ローラ対２１等（図１参照）が原稿４を搬送する方向に駆動モータ２４が回転（正回転）したときに空気流Ａが発生するように、羽根の向きおよび形状等が設計されている。
【００６０】
また、上述した空気流Ａを良好に形成するために、側板３２に空気の導入口３２ａが形成されるとともに、側板３１に空気の排出口３１ａが形成されている。導入口３２ａおよび排出口３１ａは、それぞれガイド１２の内部と外部とを連通する複数の貫通孔からなる。なお、これら導入口３２ａおよび排出口３１ａは、ガイド１２の内部と外部とを連通するものであれば、複数でなくてもよく、また、いかなる構成であってもよい。
【００６１】
このように構成されたＡＤＦ１においては、駆動モータ２４の正回転に連動してファン２７が回転することにより、ガイド１２の外部の空気が導入口３２ａを介してガイド１２内に導入され、導入された空気がファン２７の作用により駆動モータ２４に向かう空気流Ａとなって駆動モータ２４を冷却する。駆動モータ２４を冷却した後の空気は、排出口３１ａからガイド１２の外部に排出される。
【００６２】
次に、図３〜図５を参照して、駆動モータ２４の冷却後の空気の利用形態について説明する。
【００６３】
図４に示すように、ＡＤＦ１は、コンタクトガラス３上の画像読取位置に向けて搬送される原稿４をガイドする読取入口ガイド部材４０を備えている。読取入口ガイド部材４０は、ガイド１２に対向して設けられ、ガイド１２とともに搬送経路（イ）の一部を形成するよう構成されている。
【００６４】
図５に示すように、この読取入口ガイド部材４０には、コンタクトガラス３上の画像読取位置に向けて開口する複数の吹き出し口４０ａが形成されている。この吹き出し口４０ａからは、後述するダクト部材５０を介して流通されてくる駆動モータ２４の冷却後の空気がコンタクトガラス３上に向けて吹き出される。なお、吹き出し口４０ａは、コンタクトガラス３の幅方向の略全域に亘って空気を吹き出すことを可能とするため複数設けるのが好ましいが、例えば幅方向に長尺な長孔形状のひとつの吹き出し口としてもよい。
【００６５】
また、ＡＤＦ１は、ガイド１２の側板３１に形成された排出口３１ａ（図２参照）と吹き出し口４０ａとを連通する空気通路５０ａが内部に形成されたダクト部材５０を備えている。
【００６６】
ダクト部材５０は、空気通路５０ａの空気導入側が排出口３１ａ（図２参照）と連通するよう空気導入側の一端が側板３１に取り付けられている。また、空気吹き出し側の他端は、空気通路５０ａの吹き出し側が吹き出し口４０ａと連通するよう読取入口ガイド部材４０の内部に形成されている。
【００６７】
したがって、ダクト部材５０は、空気導入側を単独の部材で構成するとともに、吹き出し側を読取入口ガイド部材４０と兼用している。
【００６８】
このように構成されたＡＤＦ１において、駆動モータ２４の冷却後の空気は、ダクト部材５０の空気通路５０ａを介して吹き出し口４０ａからコンタクトガラス３上に吹き出される。吹き出し口４０ａから吹き出された空気によりコンタクトガラス３上の粉塵等のゴミが吹き飛ばされる。
【００６９】
次に、図６を参照して、ＡＤＦ１を備えた画像読取装置２００を画像形成装置３００に搭載した例について説明する。
【００７０】
本実施の形態では、画像形成装置３００として４つの画像形成ユニット１１０Ｙ、１１０Ｍ、１１０Ｃ、１１０Ｋを並設した、４連タンデム型中間転写方式のフルカラー機を例に説明するが、４連タンデム型直接転写方式や、１ドラム型中間転写方式などのフルカラー機であってもよい。また、画像形成部が１つだけのモノクロ機でもよい。
【００７１】
図６に示すように、画像形成装置３００は、画像形成動作を行う画像形成装置本体１００と、その上部に設置され、原稿画像の読み取りを行う画像読取装置２００とにより構成されている。
【００７２】
画像読取装置２００は、前記したＡＤＦ１に画像読取ユニット２を組み合わせた構成である。したがって、ここではＡＤＦ１による原稿搬送動作や、画像読取ユニット２による画像読取動作については説明を省略する。
【００７３】
画像形成装置本体１００内には、イエロー（Ｙ）、マゼンタ（Ｍ）、シアン（Ｃ）、ブラック（Ｋ）の各色に対応する４つの画像形成ユニット１１０Ｙ、１１０Ｍ、１１０Ｃ、１１０Ｋが中間転写ユニット１２０に沿って並設されている。
【００７４】
この４つの画像形成ユニット１１０Ｙ、１１０Ｍ、１１０Ｃ、１１０Ｋは、作像する画像の現像色が異なるだけで構成は同じである。これら画像形成ユニット１１０Ｙ、１１０Ｍ、１１０Ｃ、１１０Ｋは、像担持体であるドラム状の光導電性の感光体１１１と、その感光体１１１の周囲に配設された帯電手段（例えば帯電チヤージヤ、あるいは帯電ローラ等）１１２と、現像手段である現像装置１１３（図では現像部（現像器）１０１のみ図示してある）と、一次転写手段である一次転写ローラ５７と、感光体表面のクリーニング手段である感光体クリーニングユニット６１と、感光体表面の除電手段であるクエンチングランプ（ＱＬ）７１とを備えている。
【００７５】
また、各画像形成ユニット１１０Ｙ、１１０Ｍ、１１０Ｃ、１１０Ｋの上方には、各感光体１１１に各色に対応した書込光を露光する書込ユニット３８が設置されている。書込ユニット３８としては、レーザ光源と光偏向器と走査光学系を備えた光走査方式の書込装置や、ライン状の発光ダイオード（ＬＥＤ）アレイと結像光学系を用いた書込装置等が用いられる。
【００７６】
並設された４つの画像形成ユニット１１０Ｙ、１１０Ｍ、１１０Ｃ、１１０Ｋの下には、中間転写ユニット１２０が設置されている。この中間転写ユニット１２０は、複数のローラ１２２、１２３、１２４に張架された無端ベルト状の中間転写体（以下、中間転写ベルトという）１２１と、中間転写ベルトクリーニングユニット１２５とを備えている。中間転写ベルト１２１には、各感光体１１１に形成される各色のトナー像が一次転写される。
【００７７】
また、中間転写ユニット１２０の下には、中間転写ベルト１２１上の画像をシート状の記録媒体（例えば記録用紙）に二次転写するための二次転写ローラ１３０が設置されている。
【００７８】
本実施の形態における書込ユニット３８、画像形成ユニット１１０Ｙ、１１０Ｍ、１１０Ｃ、１１０Ｋおよび中間転写ユニット１２０は、本発明に係る画像形成部を構成する。
【００７９】
画像形成装置本体１００の下部には、給紙部が設けられている。この給紙部には、記録媒体としてサイズの異なる記録用紙Ｐを収納した複数の給紙トレイ１５０Ａ、１５０Ｂが着脱自在に設置されている。また、給紙部には、各給紙トレイ１５０Ａ、１５０Ｂから記録用紙Ｐを１枚ずつ給紙するためのピックアップローラ１５１と給紙ローラ１５２が設けられている。
【００８０】
給紙部から給紙された記録用紙Ｐは、搬送ローラ１５３、１５４、１５５により上方に搬送され、レジストローラ１５６により所定のタイミングで前記二次転写ローラ１３０のニップに向けて送り出される。
【００８１】
また、二次転写ローラ１３０より用紙搬送方向下流側には、記録用紙Ｐに転写された画像を定着するための定着ユニット１４０が設置されている。定着ユニット１４０の用紙搬送方向下流側には、プリントモードに応じて用紙の搬送方向を切り替える分岐路が設けられている。そして、分岐路の一方側は排紙トレイ１６０に用紙を排紙する排紙搬送経路につながり、他方は両面プリント時に用いられる用紙反転部１５８や再搬送経路１５９につながっている。
【００８２】
このような構成の画像形成装置３００において、プリント開始命令が入力されると、各画像形成ユニット１１０Ｙ、１１０Ｍ、１１０Ｃ、１１０Ｋの感光体１１１とその周囲の各ユニットのローラ、中間転写ベルト１２１の駆動ローラ、搬送経路等にある各ローラが既定のタイミングで回転し始める。また、これと同時に、画像形成装置本体１００下部の給紙部の選択された用紙サイズの給紙トレイ１５０Ａ（または１５０Ｂ）から記録用紙Ｐの給紙が開始される。
【００８３】
一方、各感光体１１１は、帯電手段１７によってその表面を一様な電位に帯電され、書込ユニット３８から照射される書込光によってその表面を各色の画像データに従って露光される。露光された後の電位パターンである静電潜像をその表面に担持した感光体１１１は、現像装置１１３の現像部（現像器）１０１より各色のトナーを供給される。これにより、静電潜像が特定色に現像される。
【００８４】
図６においては、感光体１１１が４色分あるので、それぞれイエロー（Ｙ）、マゼンタ（Ｍ）、シアン（Ｃ）、ブラック（Ｋ）（色順はシステムによって異なる）のトナー像が各感光体上に現像されることになる。各感光体１１１上に現像された各色のトナー像は、中間転写ベルト１２１との接点において一次転写ローラ５７に印加される一次転写バイアスおよび押し付け圧力によって中間転写ベルト１２１上に一次転写される。この一次転写動作がタイミングを合わせながら４色分繰り返されることにより、中間転写ベルト１２１上にフルカラートナー像が形成される。
【００８５】
中間転写ベルト１２１上に形成されたフルカラートナー像は、二次転写ローラ１３０において、レジストローラ１５６によってタイミングを合わせて搬送されてくる記録用紙Ｐに二次転写される。このとき、二次転写ローラ１３０に印加される二次転写バイアスおよび押し付け圧力によって二次転写が行われる。
【００８６】
フルカラートナー像を転写された記録用紙Ｐは、定着ユニット１４０を通過することにより、表面に担持しているトナー像が加熱・加圧定着される。
【００８７】
その後、片面プリントの場合には、記録用紙Ｐは分岐路をそのまま直線搬送されて排紙トレイ１６０へ排紙される。一方、両面プリントの場合には、記録用紙Ｐは分岐路で搬送方向を下向きに変えられ、スイッチバックローラ１５７を介して用紙反転部１５８へ搬送される。
【００８８】
用紙反転部１５８に到達した記録用紙Ｐは、ここでスイッチバックローラ１５７により搬送方向を逆転される。これをスイッチバック動作と呼び、この動作によって記録用紙Ｐの表裏を反転させることができる。搬送方向が逆転された、つまり表裏反転された記録用紙Ｐは、用紙反転部１５８から定着ユニット方向には戻らず、再搬送経路１５９を介して再び給紙搬送経路に合流する。その後、表面プリントの時と同様に、裏面にトナー像が転写され、定着ユニット１４０部を通過して排紙トレイ１６０に排紙される。これにより、両面プリント動作が終了する。
【００８９】
なお、プリント動作終了後、各感光体１１１は、ブレードおよびブラシ等で構成された感光体クリーニングユニット６１において、その表面に残留している一次転写残トナーが除去される。その後、各感光体１１１は、クエンチングランプ（ＱＬ）によってその表面を一様に除電されて次の画像の為の帯電に備える。また、中間転写ベルト１２１に関しても、中間転写ベルトクリーニングユニット１２５によってその表面に残留している二次転写残トナーが除去されて、次のトナー像の転写に備えるようになっている。こうした動作の繰り返しによって、片面プリントあるいは両面プリントが行われる。
【００９０】
以上のように、本実施の形態に係るＡＤＦ１は、ガイド１２内に配置された駆動モータ２４の駆動軸２５の軸端部２５ｂに、ガイド１２の外部から駆動モータ２４に向かう空気流Ａを形成するためのファン２７を設けた構成を有する。このため、ガイド１２内、つまり搬送経路（イ）、（ロ）内に配置された駆動モータ２４を空気流Ａによって冷却することができる。
【００９１】
また、本実施の形態に係るＡＤＦ１は、ファン２７が駆動モータ２４が回転（正回転）したときに空気流Ａが発生するよう、その羽根等が設計されているので、ガイド１２の外部の空気を強制的に駆動モータ２４の冷却にあてることができる。
【００９２】
また、本実施の形態に係るＡＤＦ１は、駆動モータ２４が取り付けられた側板３１に排気口３１ａが形成されているので、駆動モータ２４の冷却により暖められた空気がガイド１２の下面に位置する搬送経路（イ）、（ロ）を搬送中の原稿４に直接触れることを防止することができる。これにより、高温の空気に晒されることにより搬送中の原稿４が変形する等の原稿４に対する熱の影響を排除することができる。
【００９３】
また、本実施の形態に係るＡＤＦ１は、駆動モータ２４の冷却後の空気がダクト部材５０を介して読取入口ガイド部材４０の吹き出し口４０ａからコンタクトガラス３上に吹き出されるように構成されている。したがって、吹き出し口４０ａから吹き出された空気によりコンタクトガラス３上の粉塵等のゴミを吹き飛ばすことができ、コンタクトガラス３上のゴミを効果的に除去することができる。すなわち、コンタクトガラス３のクリーニング効果を高めることができる。
【符号の説明】
【００９４】
１  ＡＤＦ（自動原稿搬送装置）
２  画像読取ユニット
３  コンタクトガラス
４  原稿
５  原稿載置台
６  ピックアップローラ（搬送ローラ）
８  フィードローラ（搬送ローラ）
１２  ガイド（搬送ガイド部材）
１９  プルアウトローラ対（搬送ローラ）
２０  読取前ローラ対（搬送ローラ）
２１  排紙ローラ対（搬送ローラ）
２４  駆動モータ
２５  駆動軸
２５ａ、２５ｂ  軸端部
２７  ファン
３０  ガイド板
３１、３２  側板
３１ａ  排出口
３２ａ  導入口
３８  書込ユニット（画像形成部）
４０  読取入口ガイド部材
４０ａ  吹き出し口
５０  ダクト部材
５０ａ  空気通路
１１０Ｙ、１１０Ｍ、１１０Ｃ、１１０Ｋ  画像形成ユニット（画像形成部）
１２０  中間転写ユニット（画像形成部）
２００  画像読取装置
３００  画像形成装置
（イ）、（ロ）、（ハ）、（ニ）  搬送経路
Ａ  空気流
【先行技術文献】
【特許文献】
【００９５】
【特許文献１】特開昭６２−０７４８４６号公報
【特許文献２】特開２０１０−１０７６９４号公報
【図１】
2014056037.tif 000003
【図２】
2014056037.tif 000004
【図３】
2014056037.tif 000005
【図４】
2014056037.tif 000006
【図５】
2014056037.tif 000007
【図６】
2014056037.tif 000008